(57)【要約】      （修正有）【課題】縮退運転可能な束紙葉類を処理する紙葉類処理装置を提供する。【解決手段】束紙葉類を処理する紙葉類処理装置２００は、束紙葉類に関する処理を行う複数の処理ブロック４１０，４２０，４３０と、所定条件において、いずれかの処理ブロックにおける束紙葉類に関する処理を停止させるが、残りの処理ブロックでは束紙葉類に関する処理を行うよう制御する制御部と、を備えている。【選択図】図３
2015184782.tif 000002
【特許請求の範囲】
【請求項１】
束紙葉類を処理する紙葉類処理装置において、
前記束紙葉類に関する処理を行う複数の処理ブロックと、
所定条件において、いずれかの処理ブロックにおける前記束紙葉類に関する処理を停止させるが、残りの処理ブロックでは前記束紙葉類に関する処理を行うよう制御する制御部と、
を備えたことを特徴とする紙葉類処理装置。
【請求項２】
前記処理ブロックのうちの一つは、所定枚数の紙葉類を結束して前記束紙葉類を生成する帯封ブロックであり、
前記処理ブロックのうちの別の一つは、前記束紙葉類を出金する出金ブロックであり、
前記処理ブロックのうちのさらに別の一つは、前記束紙葉類を収納するとともに前記束紙葉類を前記出金ブロックに繰り出す収納繰出ブロックであり、
前記制御部は、前記所定条件において、前記帯封ブロック、前記出金ブロック及び前記収納繰出ブロックのいずれか一つ以上の処理ブロックにおける前記束紙葉類に関する処理を停止させるが、残りの処理ブロックでは前記束紙葉類に関する処理を行うよう制御することを特徴とする請求項１に記載の紙葉類処理装置。
【請求項３】
前記制御部は、前記処理ブロックのいずれかで不具合が発生したときに、当該処理ブロックにおける前記束紙葉類に関する処理を停止させるが、残りの処理ブロックでは前記束紙葉類に関する処理を行うよう制御することを特徴とする請求項１又は２のいずれかに記載の紙葉類処理装置。
【請求項４】
前記処理ブロックのうちの一つは、所定枚数の紙葉類を結束して前記束紙葉類を生成する帯封ブロックであり、
前記帯封ブロックは、前記所定枚数の紙葉類を集積する一時保留部を有し、
前記制御部は、前記一時保留部で不具合が発生したときに、前記帯封ブロックで前記束紙葉類を生成する処理を停止させることを特徴とする請求項１乃至３のいずれか１項に記載の紙葉類処理装置。
【請求項５】
前記処理ブロックのうちの一つは、所定枚数の紙葉類を結束して前記束紙葉類を生成する帯封ブロックであり、
前記紙葉類を集積するバラ収納部と、
前記帯封ブロックで前記束紙葉類を生成する処理が停止されている間に、前記バラ収納部に集積された前記紙葉類の枚数が一定枚数以上となったときに、前記帯封ブロックの停止要因の解除を開始するよう報知する報知部と、
をさらに備えたことを特徴とする請求項１乃至４のいずれか１項に記載の紙葉類処理装置。
【請求項６】
前記紙葉類を集積するバラ収納部をさらに備え、
前記処理ブロックのうちの一つは、所定枚数の紙葉類を結束して前記束紙葉類を生成する帯封ブロックであり、
前記制御部は、前記帯封ブロックで前記束紙葉類を生成する処理が停止されている間に、前記バラ収納部に集積された前記紙葉類の枚数が一定枚数以上となったときに、少なくとも前記バラ収納部に前記紙葉類を集積させる処理を停止させることを特徴とする請求項１乃至５のいずれか１項に記載の紙葉類処理装置。
【請求項７】
前記制御部は、前記帯封ブロックで前記束紙葉類を生成する処理が停止されている間に、前記バラ収納部に集積された前記紙葉類の枚数が一定枚数以上となったときに、前記バラ収納部内の紙葉類を回収するよう前記報知部に報知させる、及び／又は、前記バラ収納部内の紙葉類を自動的に回収させることを特徴とする請求項５又は６のいずれかに記載の紙葉類処理装置。
【請求項８】
前記処理ブロックの少なくともいずれか一つは監視対象部材を有し、
前記監視対象部材を有する処理ブロックにおける前記束紙葉類に関する処理が停止されている間であっても、前記監視対象部材の状況を常時検知する検知部をさらに備えたことを特徴とする請求項１乃至７のいずれか１項に記載の紙葉類処理装置。
【請求項９】
前記制御部は、前記監視対象部材の状況を検知することができなくなったときに、
前記監視対象部材を有する処理ブロック以外の処理ブロックにおける前記束紙葉類に関する処理を停止させることを特徴とする請求項８に記載の紙葉類処理装置。
【請求項１０】
前記監視対象部材を有する処理ブロックにおける前記束紙葉類に関する処理が停止されている間、前記監視対象部材への電力供給を物理的に停止することを特徴とする請求項８又は９のいずれかに記載の紙葉類処理装置。
【請求項１１】
前記処理ブロックのうちの一つは、所定枚数の紙葉類を結束して前記束紙葉類を生成する帯封ブロックであり、
前記帯封ブロックは前記監視対象部材であるヒータを有することを特徴とする請求項８乃至１０のいずれか１項に記載の紙葉類処理装置。
【請求項１２】
紙葉類を集積するバラ収納部と、
前記バラ収納部から繰り出された前記紙葉類を出金するバラ出金部と、をさらに備え、
前記処理ブロックのうちの一つは、所定枚数の紙葉類を結束して前記束紙葉類を生成する帯封ブロックであり、
前記処理ブロックのうちの別の一つは、前記束紙葉類を出金する出金ブロックであり、
前記処理ブロックのうちのさらに別の一つは、前記束紙葉類を収納するとともに前記束紙葉類を前記出金ブロックに繰り出す収納繰出ブロックであり、
前記制御部は、前記帯封ブロックで前記束紙葉類を生成する処理が停止されている間、出金するよう指示された束数未満の束紙葉類しか前記収納繰出ブロックが収納していないときに、不足する束数に対応する枚数の紙葉類を前記バラ収納部から繰り出して前記バラ出金部から出金するよう制御することを特徴とする請求項１乃至１１のいずれか１項に記載の紙葉類処理装置。
【請求項１３】
紙葉類を集積するバラ収納部をさらに備え、
前記処理ブロックのうちの一つは、所定枚数の紙葉類を結束して前記束紙葉類を生成する帯封ブロックであり、
前記処理ブロックのうちの別の一つは、前記束紙葉類を出金する出金ブロックであり、
前記処理ブロックのうちのさらに別の一つは、前記束紙葉類を収納するとともに前記束紙葉類を前記出金ブロックに繰り出す収納繰出ブロックであり、
前記制御部は、前記収納繰出ブロックにおける前記束紙葉類を前記出金ブロックに繰り出す処理が停止されている間、前記束紙葉類を出金するよう指示された場合に、前記バラ収納部から繰り出された前記所定枚数の紙葉類を前記帯封ブロックで結束して前記束紙葉類を生成し、前記出金ブロックから当該束紙葉類を出金するよう制御することを特徴とする請求項１乃至１２のいずれか１項に記載の紙葉類処理装置。
【請求項１４】
所定の情報を報知する報知部をさらに備え、
前記制御部は、前記収納繰出ブロックにおける前記束紙葉類を前記出金ブロックに繰り出す処理が停止されている間、前記バラ収納部内に収納されている紙葉類の枚数が出金するよう指示された束数に対応する枚数未満のときには、前記報知部にその旨を報知させるとともに前記束紙葉類の出金を停止する、及び／又は、不足する枚数の紙葉類を装填するよう前記報知部に報知させることを特徴とする請求項１３に記載の紙葉類処理装置。
【請求項１５】
前記処理ブロックのうちの一つは、所定枚数の紙葉類を結束して前記束紙葉類を生成する帯封ブロックであり、
前記処理ブロックのうちの別の一つは、前記束紙葉類を出金する出金ブロックであり、
前記処理ブロックのうちのさらに別の一つは、前記束紙葉類を収納するとともに前記束紙葉類を前記出金ブロックに繰り出す収納繰出ブロックであり、
前記制御部は、前記所定条件において、前記帯封ブロック又は前記収納繰出ブロックのいずれかにおける前記束紙葉類に関する処理を停止させることを特徴とすることを特徴とする請求項１乃至１４のいずれか１項に記載の紙葉類処理装置。
【発明の詳細な説明】
【技術分野】
【０００１】
本発明は、束紙葉類を処理する紙葉類処理装置に関する。
【背景技術】
【０００２】
従来から貨幣を処理する貨幣処理装置が知られている。このような貨幣処理装置において、一部で貨幣の処理を行わないようにする縮退運転をすることが試みられている。例えば、特許文献１では、取扱う取引種目や取引の内容を制限する縮退モードに切替えることが開示されており、一例として、千円紙幣収納部の現金カセットが切り離されると、支払い取引では万円単位の入力しかできないように制限し、さらに、釣銭の発生する取引種目を禁止することや、全ての各紙幣収納部の現金カセットが切り離されると、紙幣を取扱う取引種目を禁止すること等が開示されている。また、特許文献２では、縮退処理部で、紙幣金庫のフル状態を検出したとき、顧客に紙幣の使用不能を通知するとともに、紙幣投入を阻止し、硬貨のみを硬貨金庫で受付けて手数料受付けの運用を続ける制御を行うこと等が開示されている。他方、従来から、所定枚数の紙幣を結束して束紙幣を生成し、この束紙幣を処理する紙幣処理装置が知られている（例えば特許文献３参照）。しかしながら、このように束紙幣を処理する紙幣処理装置等の紙葉類処理装置において、縮退運転を行うことは提供されていない。
【先行技術文献】
【特許文献】
【０００３】
【特許文献１】特開平７−３０６９７５号公報
【特許文献２】特許２７０４９５３号
【特許文献３】特許４０３４０６４号
【発明の概要】
【発明が解決しようとする課題】
【０００４】
本発明は、このような点を鑑みてなされたものであり、縮退運転可能な束紙葉類を処理する紙葉類処理装置を提供する。
【課題を解決するための手段】
【０００５】
本発明による紙葉類処理装置は、
束紙葉類を処理する紙葉類処理装置であって、
前記束紙葉類に関する処理を行う複数の処理ブロックと、
所定条件において、いずれかの処理ブロックにおける前記束紙葉類に関する処理を停止させるが、残りの処理ブロックでは前記束紙葉類に関する処理を行うよう制御する制御部と、
を備える。
【０００６】
本発明による紙葉類処理装置において、
前記処理ブロックのうちの一つは、所定枚数の紙葉類を結束して前記束紙葉類を生成する帯封ブロックであり、
前記処理ブロックのうちの別の一つは、前記束紙葉類を出金する出金ブロックであり、
前記処理ブロックのうちのさらに別の一つは、前記束紙葉類を収納するとともに前記束紙葉類を前記出金ブロックに繰り出す収納繰出ブロックであり、
前記制御部は、前記所定条件において、前記帯封ブロック、前記出金ブロック及び前記収納繰出ブロックのいずれか一つ以上の処理ブロックにおける前記束紙葉類に関する処理を停止させるが、残りの処理ブロックでは前記束紙葉類に関する処理を行うよう制御してもよい。
【０００７】
本発明による紙葉類処理装置において、
前記制御部は、前記処理ブロックのいずれかで不具合が発生したときに、当該処理ブロックにおける前記束紙葉類に関する処理を停止させるが、残りの処理ブロックでは前記束紙葉類に関する処理を行うよう制御してもよい。
【０００８】
本発明による紙葉類処理装置において、
前記処理ブロックのうちの一つは、所定枚数の紙葉類を結束して前記束紙葉類を生成する帯封ブロックであり、
前記帯封ブロックは、前記所定枚数の紙葉類を集積する一時保留部を有し、
前記制御部は、前記一時保留部で不具合が発生したときに、前記帯封ブロックで前記束紙葉類を生成する処理を停止させてもよい。
【０００９】
本発明による紙葉類処理装置において、
前記処理ブロックのうちの一つは、所定枚数の紙葉類を結束して前記束紙葉類を生成する帯封ブロックであり、
本発明による紙葉類処理装置は、
前記紙葉類を集積するバラ収納部と、
前記帯封ブロックで前記束紙葉類を生成する処理が停止されている間に、前記バラ収納部に集積された前記紙葉類の枚数が一定枚数以上となったときに、前記帯封ブロックの停止要因の解除を開始するよう報知する報知部と、
をさらに備えてもよい。
【００１０】
本発明による紙葉類処理装置は、
前記紙葉類を集積するバラ収納部をさらに備え、
前記処理ブロックのうちの一つは、所定枚数の紙葉類を結束して前記束紙葉類を生成する帯封ブロックであり、
前記制御部が、前記帯封ブロックで前記束紙葉類を生成する処理が停止されている間に、前記バラ収納部に集積された前記紙葉類の枚数が一定枚数以上となったときに、少なくとも前記バラ収納部に前記紙葉類を集積させる処理を停止させてもよい。
【００１１】
本発明による紙葉類処理装置において、
前記制御部は、前記帯封ブロックで前記束紙葉類を生成する処理が停止されている間に、前記バラ収納部に集積された前記紙葉類の枚数が一定枚数以上となったときに、前記バラ収納部内の紙葉類を回収するよう前記報知部に報知させる、及び／又は、前記バラ収納部内の紙葉類を自動的に回収させてもよい。
【００１２】
本発明による紙葉類処理装置において、
前記処理ブロックの少なくともいずれか一つは監視対象部材を有し、
本発明による紙葉類処理装置は、前記監視対象部材を有する処理ブロックにおける前記束紙葉類に関する処理が停止されている間であっても、前記監視対象部材の状況を常時検知する検知部をさらに備えてもよい。
【００１３】
本発明による紙葉類処理装置において、
前記制御部は、前記監視対象部材の状況を検知することができなくなったときに、
前記監視対象部材を有する処理ブロック以外の処理ブロックにおける前記束紙葉類に関する処理を停止させてもよい。
【００１４】
本発明による紙葉類処理装置において、
前記監視対象部材を有する処理ブロックにおける前記束紙葉類に関する処理が停止されている間、前記監視対象部材への電力供給を物理的に停止してもよい。
【００１５】
本発明による紙葉類処理装置において、
前記処理ブロックのうちの一つは、所定枚数の紙葉類を結束して前記束紙葉類を生成する帯封ブロックであり、
前記帯封ブロックは前記監視対象部材であるヒータを有してもよい。
【００１６】
本発明による紙葉類処理装置は、
紙葉類を集積するバラ収納部と、
前記バラ収納部から繰り出された前記紙葉類を出金するバラ出金部と、をさらに備え、
前記処理ブロックのうちの一つが、所定枚数の紙葉類を結束して前記束紙葉類を生成する帯封ブロックであり、
前記処理ブロックのうちの別の一つが、前記束紙葉類を出金する出金ブロックであり、
前記処理ブロックのうちのさらに別の一つが、前記束紙葉類を収納するとともに前記束紙葉類を前記出金ブロックに繰り出す収納繰出ブロックであり、
前記制御部が、前記帯封ブロックで前記束紙葉類を生成する処理が停止されている間、出金するよう指示された束数未満の束紙葉類しか前記収納繰出ブロックが収納していないときに、不足する束数に対応する枚数の紙葉類を前記バラ収納部から繰り出して前記バラ出金部から出金するよう制御してもよい。
【００１７】
本発明による紙葉類処理装置は、
紙葉類を集積するバラ収納部をさらに備え、
前記処理ブロックのうちの一つが、所定枚数の紙葉類を結束して前記束紙葉類を生成する帯封ブロックであり、
前記処理ブロックのうちの別の一つが、前記束紙葉類を出金する出金ブロックであり、
前記処理ブロックのうちのさらに別の一つが、前記束紙葉類を収納するとともに前記束紙葉類を前記出金ブロックに繰り出す収納繰出ブロックであり、
前記制御部が、前記収納繰出ブロックにおける前記束紙葉類を前記出金ブロックに繰り出す処理が停止されている間、前記束紙葉類を出金するよう指示された場合に、前記バラ収納部から繰り出された前記所定枚数の紙葉類を前記帯封ブロックで結束して前記束紙葉類を生成し、前記出金ブロックから当該束紙葉類を出金するよう制御してもよい。
【００１８】
本発明による紙葉類処理装置は、
所定の情報を報知する報知部をさらに備え、
前記制御部は、前記収納繰出ブロックにおける前記束紙葉類を前記出金ブロックに繰り出す処理が停止されている間、前記バラ収納部内に収納されている紙葉類の枚数が出金するよう指示された束数に対応する枚数未満のときには、前記報知部にその旨を報知させるとともに前記束紙葉類の出金を停止する、及び／又は、不足する枚数の紙葉類を装填するよう前記報知部に報知させてもよい。
【００１９】
本発明による紙葉類処理装置において、
前記処理ブロックのうちの一つは、所定枚数の紙葉類を結束して前記束紙葉類を生成する帯封ブロックであり、
前記処理ブロックのうちの別の一つは、前記束紙葉類を出金する出金ブロックであり、
前記処理ブロックのうちのさらに別の一つは、前記束紙葉類を収納するとともに前記束紙葉類を前記出金ブロックに繰り出す収納繰出ブロックであり、
前記制御部は、前記所定条件において、前記帯封ブロック又は前記収納繰出ブロックのいずれかにおける前記束紙葉類に関する処理を停止させてもよい。
【発明の効果】
【００２０】
本発明によれば、制御部が、所定条件において、いずれかの処理ブロックにおける束紙葉類に関する処理を停止させるが、残りの処理ブロックでは束紙葉類に関する処理を行うよう制御する。このため、縮退運転可能な束紙葉類を処理する紙葉類処理装置を提供することができる。
【図面の簡単な説明】
【００２１】
【図１】図１は、本発明の実施の形態による紙幣処理装置の外観を示した斜視図である。
【図２】図２（ａ）は、本発明の実施の形態による紙幣処理装置のバラ紙幣処理装置の構成の概略を示す概略縦断面図であり、図２（ｂ）は、本発明の実施の形態による紙幣処理装置の束紙幣処理装置の構成の概略を示す概略縦断面図である。
【図３】図３は、本発明の実施の形態による紙幣処理装置の束紙幣処理装置の構成の概略を示す概略縦断面図である。
【図４】図４は、本発明の実施の形態による紙幣処理装置の各処理ブロックに含まれる構成要素を示した概略図である。
【発明を実施するための形態】
【００２２】
実施の形態
《構成》
以下、本発明に係る紙葉類処理装置の実施の形態について、図面を参照して説明する。ここで、図１乃至図４は本発明の実施の形態を説明するための図である。
【００２３】
本実施の形態では紙葉類処理装置の一例として紙幣処理装置５００を用いて以下説明するが、これに限られることはないことには留意が必要である。すなわち、本実施の形態の紙葉類処理装置は、紙幣、商品券、小切手、バーコードチケット等の紙葉類を処理することができるものであればよく、特に紙幣のみを処理する紙幣処理装置５００に限られるものではない。
【００２４】
図１に示すように、本実施の形態の紙幣処理装置５００は、バラ紙幣を収納するバラ紙幣処理装置１００と、例えば１００枚の紙幣を帯封紙によって結束することで束紙幣を生成する束紙幣処理装置２００とを備えている。図１に示すように、バラ紙幣処理装置１００と束紙幣処理装置２００とは左右に並ぶよう配置されており、図２のバラ紙幣処理装置１００で示されたアーム部２１０と、束紙幣処理装置２００で示されたアーム部２１０とが左右方向で重なるようにして配置されている。
【００２５】
［バラ紙幣処理装置１００］
まず、バラ紙幣処理装置１００について説明する。
【００２６】
図１に示すように、バラ紙幣処理装置１００は筐体１０２を有しており、この筐体１０２には、外部から筐体１０２内に紙幣を投入するための紙幣投入部１１０と、後述する金種別紙幣収納部（特許請求の範囲の「バラ収納部」に対応する。）１４２から繰り出された紙幣を筐体１０２内から外部に出金するためのバラ紙幣出金部（特許請求の範囲の「バラ出金部」に対応する。）１５２がそれぞれ設けられている。また、図２（ａ）に示すように、紙幣投入部１１０には紙幣繰出部１１２が設けられており、外部から紙幣投入部１１０に投入された紙幣は紙幣繰出部１１２により１枚ずつ筐体１０２内に繰り出されるようになっている。また、紙幣繰出部１１２には入金搬送部１１４が連結されており、紙幣繰出部１１２により筐体１０２内に繰り出された紙幣は入金搬送部１１４により１枚ずつ搬送されるようになっている。入金搬送部１１４には入金識別部１１６が設けられており、入金搬送部１１４により搬送される紙幣は入金識別部１１６によりその金種、真偽、正損、新旧等が識別されるようになっている。また、紙幣の搬送方向における入金識別部１１６の下流側には表裏反転部１１８が設けられており、入金識別部１１６により識別された紙幣は表裏反転部１１８によりその表裏が整えられるようになっている。一例を示すならば、表裏反転部１１８に送られた紙幣のうち、裏面が上側となっている紙幣のみの表裏が反転されることにより、この表裏反転部１１８から出された紙幣は全て表面（おもてめん）が上側となるようになる。また、入金搬送部１１４には入金リジェクト部１２０が連結されており、入金識別部１１６により正常な紙幣ではないと識別された紙幣や識別することができなかった紙幣はリジェクト紙幣として入金搬送部１１４から入金リジェクト部１２０に送られるようになっている。入金リジェクト部１２０はバラ紙幣処理装置１００の筐体１０２の外部からアクセス可能となっており、操作者はこの入金リジェクト部１２０に集積されたリジェクト紙幣を取り出すことができるようになっている。
【００２７】
また、入金搬送部１１４には１つの一括一時保留部１３０と、複数（本実施の形態では４つ）の金種別一時保留部１３２とがそれぞれ連結されている。入金搬送部１１４から一括一時保留部１３０や各金種別一時保留部１３２に搬送された紙幣は、これらの一括一時保留部１３０や各金種別一時保留部１３２において積層状態で集積されることにより一時的に保留されるようになっている。なお、一括一時保留部１３０には複数の金種の紙幣が混合状態で一時的に保留されるようになっており、また、各金種別一時保留部１３２にはそれぞれ特定の金種の紙幣が一時的に保留されるようになっている。また、一括一時保留部１３０の下方には当該一括一時保留部１３０に対応して、混合状態のバラ紙幣を集積して収納する１つの一括紙幣収納部１４０が設けられている。また、各金種別一時保留部１３２の下方には各金種別一時保留部１３２に対応して、特定の金種からなるバラ紙幣を集積して収納する金種別紙幣収納部１４２が設けられている。
【００２８】
一括紙幣収納部１４０及び各金種別紙幣収納部１４２にはそれぞれ紙幣繰出部１４４が設けられており、これらの一括紙幣収納部１４０及び各金種別紙幣収納部１４２から紙幣が１枚ずつ紙幣繰出部１４４により後述する下部搬送部１４６に繰り出されるようになっている。
【００２９】
また、図２（ａ）に示すように、各紙幣繰出部１４４には下部搬送部１４６が連結されており、各紙幣繰出部１４４により一括紙幣収納部１４０や各金種別紙幣収納部１４２から繰り出された紙幣は下部搬送部１４６により１枚ずつ搬送されるようになっている。ここで、下部搬送部１４６には出金識別部１４８が設けられており、下部搬送部１４６により搬送される紙幣は出金識別部１４８によりその金種、真偽、正損、新旧等が識別されるようになっている。また、下部搬送部１４６には出金搬送部１５０が連結されており、下部搬送部１４６で搬送された紙幣は出金搬送部１５０により１枚ずつ引き続き搬送されるようになっている。
【００３０】
図２（ａ）に示すように、出金搬送部１５０にはバラ紙幣出金部１５２、出金リジェクト部１５４、２つの整理一時保留部（特許請求の範囲の「一時保留部」に対応する。）１６０がそれぞれ連結されており、出金識別部１４８により識別された紙幣のうち、筐体１０２の外部に投出されるべき紙幣は出金搬送部１５０によりバラ紙幣出金部１５２に送られてこのバラ紙幣出金部１５２に集積されるようになっている。バラ紙幣出金部１５２はバラ紙幣処理装置１００の筐体１０２の外部からアクセス可能となっており（図１参照）、操作者はこのバラ紙幣出金部１５２に集積されたバラ紙幣を取り出すことができるようになっている。なお、バラ紙幣出金部１５２は開閉自在のシャッター１５２ａを有している。ちなみに、上述した紙幣投入部１１０も開閉自在のシャッター１１０ａを有しているが、紙幣投入部１１０には当該シャッター１１０ａが設けられていなくてもよい。
【００３１】
また、出金識別部１４８により正常な紙幣ではないと識別された紙幣や識別することができなかった紙幣はリジェクト紙幣として出金搬送部１５０により出金リジェクト部１５４に送られるようになっている（図２（ａ）参照）。なお、出金リジェクト部１５４に集積されたリジェクト紙幣を取り出すためには、操作者はバラ紙幣処理装置１００の筐体１０２に設けられた扉（図示せず）を開いて出金リジェクト部１５４内のリジェクト紙幣を取り出すこととなる。
【００３２】
また、出金識別部１４８により識別された紙幣のうち、束紙幣処理装置２００により帯封されるべき紙幣は出金搬送部１５０により整理一時保留部１６０に送られるようになっている。各整理一時保留部１６０では、出金搬送部１５０から送られた紙幣が積層状態で集積されるようになっている。なお、本実施の形態では、出金識別部１４８により識別された紙幣を出金搬送部１５０により表裏反転部１１８に送ることができるようになっており、この表裏反転部１１８で表裏を反転させた後で整理一時保留部１６０に送ることもできるようになっている。
【００３３】
図２（ａ）に示すように、入金搬送部１１４や出金搬送部１５０における分岐箇所には分岐部材１７０がそれぞれ設けられており、これらの分岐部材１７０により分岐箇所における紙幣の搬送先が決められるようになっている。また、入金搬送部１１４、下部搬送部１４６及び出金搬送部１５０の各々には紙幣の検出を行う紙幣検出センサ１８０が複数設けられている。また、本実施の形態では、出金搬送部１５０における、出金識別部１４８と各整理一時保留部１６０との間には、紙幣厚さ検知センサ１８２及び半券検知センサ１８４がそれぞれ設けられている。また、半券検知センサ１８４は、出金搬送部１５０のうちバラ紙幣出金部１５２への入口部分にも設けられている。
【００３４】
また、図２（ａ）に示すように、本実施の形態のバラ紙幣処理装置１００は、一括一時保留部１３０及び４つの金種別一時保留部１３２を含む中間ブロック３００を備えており、この中間ブロック３００はバラ紙幣処理装置１００の筐体１０２から図２（ａ）における左方向（筐体１０２の前面側）に引き出し可能となっている。なお、この中間ブロック３００は筐体１０２から完全に取り外すことはできず、一括一時保留部１３０や各金種別一時保留部１３２が外部に露出すると中間ブロック３００を筐体１０２からこれ以上引き出すことができないようになっている。また、バラ紙幣処理装置１００は、一括紙幣収納部１４０、各金種別紙幣収納部１４２、下部搬送部１４６、出金識別部１４８等を含む収納ブロック３５０を備えている。また、中間ブロック３００や収納ブロック３５０の上方には、紙幣投入部１１０、入金識別部１１６、表裏反転部１１８、入金リジェクト部１２０、バラ紙幣出金部１５２、出金リジェクト部１５４、整理一時保留部１６０等を含む上部ブロック３６０が設けられている。
【００３５】
［束紙幣処理装置２００］
次に、束紙幣処理装置２００について説明する。
【００３６】
図２（ｂ）に示すように、束紙幣処理装置２００は筐体２０２を有している。バラ紙幣処理装置１００の筐体１０２及び束紙幣処理装置２００の筐体２０２内には、これらの筐体１０２，２０２内で移動可能なアーム部２１０が設けられている。また、束紙幣処理装置２００の筐体２０２内には、アーム部２１０により整理一時保留部１６０から取り出された紙幣を結束するための帯封部２１２が設けられている。また、帯封部２１２の近傍にはテープセット部２１４が設けられており、このテープセット部２１４から帯封紙が帯封部２１２に送られることによって、帯封部２１２において例えば１００枚の紙幣が帯封紙によって巻かれるようになっている。なお、帯封部２１２はヒータ２１３を有しており、このヒータ２１３は、例えば１００枚の紙幣を巻いた帯封紙の一部を加熱して圧着することで、当該紙幣を結束することとなる。帯封部２１２には束紙幣搬送部２１６が連結されており、帯封部２１２により生成された束紙幣は束紙幣搬送部２１６により束紙幣出金部２１８に搬送されるようになっている。束紙幣出金部２１８は束紙幣処理装置２００の筐体２０２の外部からアクセス可能となっており（図１参照）、操作者はこの束紙幣出金部２１８に送られた束紙幣を取り出すことができるようになっている。
【００３７】
また、図２（ｂ）に示すように、束紙幣処理装置２００は、束紙幣を前後方向（図２（ｂ）の左右方向）で搬送する束紙幣収納出金用搬送部２２０と、束紙幣を上下方向で搬送するリフト部２２４とを有している。束紙幣収納出金用搬送部２２０には束紙幣判別部２２２が設けられており、この束紙幣判別部２２２は、束紙幣収納出金用搬送部２２０で搬送される束紙幣の金種等の判別を行うようになっている。なお、図２（ｂ）ではリフト部２２４が筐体２０２内の下方に位置づけられているように示されているが、これは図面を簡略化しているためであり、実際にはリフト部２２４は、筐体２０２内の下方から上方まで移動自在となっている。そして、リフト部２２４は、束紙幣収納出金用搬送部２２０によって前面側まで搬送された束紙幣に下面から当接し、束紙幣出金部２１８の開口２１８ｂまで当該束紙幣を搬送できるようになっている。なお、束紙幣収納出金用搬送部２２０の前面側の部分は上方に揺動可能となっており、リフト部２２４が束紙幣収納出金用搬送部２２０よりも上方に移動する際には、当該前面側の部分が上方に揺動し、リフト部２２４の上方への移動に対して干渉しないようになっている。ちなみに、図１に示すように、束紙幣出金部２１８の開口２１８ｂには開閉自在なシャッター２１８ａが設けられている。
【００３８】
また、図２（ｂ）に示すように、束紙幣収納出金用搬送部２２０の下方には複数（本実施の形態では５つ）の束紙幣収納部２３０が設けられており、帯封部２１２により生成された束紙幣のうち、束紙幣出金部２１８から筐体２０２の外部に投出されない束紙幣は束紙幣収納出金用搬送部２２０により束紙幣収納部２３０内に収納されるようになっている。なお、一例としては、最も前面側（図２（ｂ）の左側）に位置する束紙幣収納部２３０は一時的に束紙幣を保留するためのものであり、前面側から２番目に位置する束紙幣収納部２３０は１万円の束紙幣を収納するためのものであり、前面側から３番目に位置する束紙幣収納部２３０は千円の束紙幣を収納するためのものであり、前面側から４番目及び５番目に位置する束紙幣収納部２３０は適宜選択した金種の束紙幣を収納するためのものとなっている。ちなみに、本実施の形態の束紙幣収納部２３０の各々は筐体２０２に対して着脱自在となっており、束紙幣収納部２３０を筐体２０２に対してロックするロック部（図示せず）を解除することで筐体２０２から取り外すことができるようになっている。
【００３９】
また、各束紙幣収納部２３０はカセット駆動部２３２を有しており、これらのカセット駆動部２３２により、各束紙幣収納部２３０に収納された束紙幣が束紙幣収納出金用搬送部２２０に繰り出されるようになっている。各束紙幣収納部２３０から束紙幣収納出金用搬送部２２０に繰り出された束紙幣は束紙幣収納出金用搬送部２２０によって前面側に搬送される。そして、束紙幣収納出金用搬送部２２０の前面側まで搬送された束紙幣はリフト部２２４により図２（ｂ）における上下方向に搬送可能となっている。そして、リフト部２２４によって上方に移動された束紙幣は束紙幣出金部２１８の開口２１８ｂから筐体２０２の外部に取り出し可能となる。また、筐体２０２の前面側下方には回収用の開口２２５ｂを含む回収部２２５が設けられており、リフト部２２４によって下方に搬送された束紙幣はこの開口２２５ｂから筐体２０２の外部に投出可能となっている。なお、図１に示すように、回収用の開口２２５ｂには開閉自在なシャッター２２５ａが設けられている。
【００４０】
ちなみに、金種別紙幣収納部１４２から紙幣を繰り出して束紙幣を生成する際の動作の一例は以下のようになっている。
【００４１】
紙幣処理装置５００が待機状態となっているときに、操作者が束紙幣作成処理開始の指令及び作成されるべき束紙幣の１又は複数の金種を筐体１０２，２０２の前面や上面に設けられたタッチパネルやキーボード等からなる操作部３０（図２参照）によって入力すると、当該金種の紙幣が対応する金種別紙幣収納部１４２から１枚ずつ紙幣繰出部１４４により下部搬送部１４６に繰り出される。そして、下部搬送部１４６によって搬送された紙幣は出金識別部１４８によりその金種、新旧等が識別され（真偽、正損をさらに識別できるようにしてもよい。）、出金識別部１４８により識別された紙幣は出金搬送部１５０によって１枚ずつ搬送される。出金識別部１４８により正常な紙幣ではないと識別された紙幣や識別することができなかった紙幣はリジェクト紙幣として出金搬送部１５０から出金リジェクト部１５４に送られる。他方、出金識別部１４８により正常な紙幣であると識別された紙幣は出金搬送部１５０により各整理一時保留部１６０に送られる。整理一時保留部１６０では、出金搬送部１５０から送られた紙幣が積層状態で集積される。そして、束紙幣を構成すべき所定枚数（例えば１００枚）の紙幣が整理一時保留部１６０に集積されると、整理一時保留部１６０に集積された所定枚数の紙幣は、アーム部２１０によってこれらの整理一時保留部１６０から取り出され、束紙幣処理装置２００の帯封部２１２に搬送される。そして、束紙幣処理装置２００において、テープセット部２１４から帯封紙が帯封部２１２に送られ、ヒータ２１３によって帯封紙が圧着されることによって、帯封部２１２において所定枚数の紙幣からなる束紙幣が生成される。
【００４２】
図２に示すように、本実施の形態の紙幣処理装置５００には、当該紙幣処理装置５００のバラ紙幣処理装置１００及び束紙幣処理装置２００の各構成要素の制御を行う制御部１０が設けられている。制御部１０にはバラ紙幣処理装置１００及び束紙幣処理装置２００の各構成要素がそれぞれ接続されており、バラ紙幣処理装置１００の入金識別部１１６や出金識別部１４８による紙幣の識別結果に関する情報や、紙幣検出センサ１８０、紙幣厚さ検知センサ１８２、半券検知センサ１８４による紙幣の検知結果に関する情報や、束紙幣判別部２２２による束紙幣の金種等の判別結果に関する情報等が制御部１０に送られるようになっている。また、制御部１０は、バラ紙幣処理装置１００及び束紙幣処理装置２００の各構成要素に指令信号を送ることによりこれらの構成要素の制御を行うようになっている。
【００４３】
本実施の形態の紙幣処理装置５００は、束紙幣に関する処理を行う複数の処理ブロックを備えている。図３に示すように、処理ブロックのうちの一つは、所定枚数の紙幣を結束して束紙幣を生成する帯封ブロック４１０であり、処理ブロックのうちの別の一つは、束紙幣を出金する出金ブロック４２０であり、処理ブロックのうちのさらに別の一つは、束紙幣を収納するとともに束紙幣を出金ブロック４２０に繰り出す収納繰出ブロック４３０である。
【００４４】
より具体的には、図４に示すように、帯封ブロック４１０は、上述した構成要素のうち、帯封されるべき紙幣を一時的に積層状態で集積する整理一時保留部１６０と、整理一時保留部１６０に集積された紙幣を取り出すためのアーム部２１０と、アーム部２１０により取り出された紙幣を結束するための帯封部２１２と、帯封紙を帯封部２１２に送るテープセット部２１４と、帯封部２１２により生成された束紙幣を束紙幣出金部２１８に搬送する束紙幣搬送部２１６とを含んでいる。なお、本実施の形態では、バラ紙幣処理装置１００に含まれる整理一時保留部１６０と、バラ紙幣処理装置１００及び束紙幣処理装置２００の両方に含まれるアーム部２１０も帯封ブロック４１０に含まれていることには留意が必要である。
【００４５】
また、出金ブロック４２０は、上述した構成要素のうち、筐体２０２内で束紙幣を上下方向に搬送するリフト部２２４と、リフト部２２４によって上方に移動された束紙幣や束紙幣搬送部２１６によって搬送された束紙幣を筐体２０２の外部からアクセス可能とする束紙幣出金部２１８と、リフト部２２４によって下方に移動された束紙幣を外部に投出する回収部２２５とを含んでいる（図４参照）。
【００４６】
また、収納繰出ブロック４３０は、束紙幣を収納する束紙幣収納部２３０と、束紙幣を束紙幣収納部２３０の後面側（図２（ｂ）の右側）に搬送したり束紙幣収納部２３０から繰り出された束紙幣を束紙幣収納部２３０の前面側（図２（ｂ）の左側）に搬送したりする束紙幣収納出金用搬送部２２０とを含んでいる（図４参照）。
【００４７】
本実施の形態の制御部１０は、所定条件において、いずれかの処理ブロックにおける束紙幣に関する処理を停止させるが、残りの処理ブロックでは束紙幣に関する処理を行うよう紙幣処理装置５００を制御する。より具体的には、制御部１０は、所定条件において、帯封ブロック４１０、出金ブロック４２０及び収納繰出ブロック４３０のいずれか一つ以上の処理ブロックにおける束紙幣に関する処理を停止させるが、残りの処理ブロックでは束紙幣に関する処理を行うよう紙幣処理装置５００を制御する。
【００４８】
なお、処理ブロックにおける束紙幣に関する処理を停止させる際には、各処理ブロックに含まれる構成要素を一つ以上停止させることとなる。すなわち、帯封ブロック４１０における束紙幣に関する処理を停止させる際には、制御部１０は、帯封ブロック４１０に含まれる整理一時保留部１６０、アーム部２１０、帯封部２１２、テープセット部２１４及び束紙幣搬送部２１６のいずれか１つ以上における処理を停止させる。また、出金ブロック４２０における束紙幣に関する処理を停止させる際には、制御部１０は、出金ブロック４２０に含まれるリフト部２２４、シャッター２１８ａを含む束紙幣出金部２１８及びシャッター２２５ａを含む回収部２２５のいずれか１つ以上における処理を停止させる。また、収納繰出ブロック４３０における束紙幣に関する処理を停止させる際には、制御部１０は、カセット駆動部２３２を含む束紙幣収納部２３０及び束紙幣収納出金用搬送部２２０のいずれか１つ以上における処理を停止させる。
【００４９】
また、「所定条件」の一例としては、処理ブロックのいずれかで故障等の不具合が発生したときを挙げることができる。このように処理ブロックのいずれかで不具合が発生した場合には、制御部１０は、当該処理ブロックにおける束紙幣に関する処理を停止させるが、残りの処理ブロックでは束紙幣に関する処理を行うよう紙幣処理装置５００を制御する。
【００５０】
具体的な例を示すと、仮に整理一時保留部１６０で不具合が発生したときには、制御部１０は、帯封ブロック４１０内で束紙幣を生成する処理を停止させるようになっている。すなわち、紙幣を整理一時保留部１６０内に集積している途中で不具合が発生した場合等には、当該整理一時保留部１６０から所定枚数の紙幣をアーム部２１０によって搬送して束紙幣を生成することができないので、アーム部２１０、帯封部２１２、テープセット部２１４及び束紙幣搬送部２１６のいずれか１つ以上の駆動を停止させ、紙幣処理装置５００を縮退運転する。なお、このような場合であっても、別の整理一時保留部１６０で対象となっている金種の紙幣を集積させることができる場合には、当該別の整理一時保留部１６０から所定枚数の紙幣をアーム部２１０によって搬送して束紙幣を生成することができ、上述のような縮退運転を行う必要はない。ちなみに縮退運転を行って駆動を停止させるというのは、停止されている部材に対して制御部１０から制御信号が送信されないようになっている状態のことを意味している。
【００５１】
また、本実施の形態の紙幣処理装置５００は、様々な情報を表示する表示部２０と、様々な音声を発するスピーカー２５とを有している（図２参照）。そして、帯封ブロック４１０で束紙幣を生成する処理が停止されている間に、バラ収納部である金種別紙幣収納部１４２に集積された紙幣の枚数がニアフル状態又はフル状態となって一定枚数以上となったときに、表示部２０やスピーカー２５等からなる報知部が、帯封ブロック４１０の停止要因の解除を開始するよう報知するようになってもよい。
【００５２】
また、制御部１０は、帯封ブロック４１０で束紙幣を生成する処理が停止されている間に、バラ収納部である金種別紙幣収納部１４２に集積された紙幣の枚数がニアフル状態又はフル状態となって一定枚数以上となったときに、少なくとも金種別紙幣収納部１４２に紙幣を集積させる処理を停止させるようにしてもよい。
【００５３】
また、制御部１０は、帯封ブロック４１０で束紙幣を生成する処理が停止されている間に、バラ収納部である金種別紙幣収納部１４２に集積された紙幣の枚数がニアフル状態又はフル状態となって一定枚数以上となったときに、当該金種別紙幣収納部１４２内の紙幣を回収するよう表示部２０やスピーカー２５等からなる報知部に報知させたりしてもよいし、また、当該金種別紙幣収納部１４２内の紙幣を自動的に回収させるようにしてもよい。
【００５４】
なお、表示部２０は本実施の形態のように操作部３０と別体になっていてもよいが、例えばタッチパネル等の部材が表示部２０と操作部３０の両方の機能を兼ねるようになっていてもよい。ちなみに、図２に示すように、表示部２０、スピーカー２５及び操作部３０の各々は制御部１０に接続されており、制御部１０は、操作部３０から入力された情報を取得し、また、表示部２０、スピーカー２５及び操作部３０の各々に対して指令信号を送信してこれらを制御するようになっている。
【００５５】
処理ブロックの少なくともいずれか一つは危険な要素になりうる監視対象部材を有しており、監視対象部材を有する処理ブロックにおける束紙幣に関する処理が停止されている間であっても、当該監視対象部材の状況を常時検知する検知部が設けられていてもよい。このような態様においては、制御部１０は監視対象部材の状況を検知することができなくなったときに、紙幣処理装置５００における束紙幣に関する処理を停止させるようにしてもよい。また、監視対象部材を有する処理ブロックにおける束紙幣に関する処理が停止されている間、スイッチを遮断状態にする等、監視対象部材への電力供給を物理的に停止するようにしてもよい。
【００５６】
一例を示すならば、上述した監視対象部材は帯封ブロック４１０の帯封部２１２に含まれるヒータ２１３である。そして、検知部２１５は帯封ブロック４１０で束紙幣に関する処理が停止されている間であっても、ヒータ２１３の状況（例えば温度状況）を常時検知する。そして、制御部１０は、ヒ−タ２１３からのレスポンスが返信されず、ヒータ２１３の状況を検知することができなくなったときに、又は、ヒータ２１３が設定温度以上になったときに、紙幣処理装置５００における束紙幣に関する処理を停止させる又は紙幣処理装置５００自体を停止させるようにしてもよい。また、帯封ブロック４１０における束紙幣に関する処理が停止されている間、スイッチ（図示せず）を遮断状態にする等してヒータ２１３への電力供給を物理的に停止するようにしてもよい。なお、本実施の形態の検知部２１５は通常運転時にもヒータ２１３の状況（例えば温度状況）を常時検知している。
【００５７】
また、制御部１０は、帯封ブロック４１０（図３参照）で束紙幣を生成する処理が停止されている間、操作部３０から指示された金種の束紙幣が、出金するよう指示された束数未満しか束紙幣収納部２３０に収納されていないときに、不足する束数に対応する枚数の紙幣をバラ状態で、金種別紙幣収納部１４２から繰り出してバラ紙幣出金部１５２から出金するよう紙幣処理装置５００を制御してもよい。より具体的には、帯封ブロック４１０で束紙幣を生成する処理が停止されている間、操作部３０から指示された金種の束紙幣が、出金するよう指示された束数未満しか束紙幣収納部２３０に収納されていないときに、不足する束数に対応する枚数（例えば、「不足する束数×１００」枚）の紙幣を当該金種を収納した金種別紙幣収納部１４２から下部搬送部１４６に繰り出して、下部搬送部１４６及び出金搬送部１５０によって当該紙幣を一枚ずつバラ紙幣出金部１５２まで搬送して当該バラ紙幣出金部１５２に集積させ、外部からアクセス可能としてもよい。
【００５８】
また、制御部１０は、収納繰出ブロック４３０（図３参照）における束紙幣を出金ブロック４２０に繰り出す処理が停止されている間、束紙幣を出金するよう指示された場合に、金種別紙幣収納部１４２から繰り出された所定枚数（例えば１００枚）の紙幣を帯封ブロック４１０で結束して束紙幣を生成し、出金ブロック４２０から当該束紙幣を出金するよう紙幣処理装置５００を制御してもよい。より具体的には、金種別紙幣収納部１４２から例えば１００枚の紙幣を繰り出して整理一時保留部１６０に一時的に保留する。そして、アーム部２１０で当該１００枚の紙幣を整理一時保留部１６０から帯封部２１２に搬送して、帯封部２１２においてテープセット部２１４から送られた帯封紙で当該１００枚の紙幣を結束することで束紙幣を生成する。そして、このようにして生成された束紙幣を束紙幣搬送部２１６によって束紙幣出金部２１８に搬送し、シャッター２１８ａを開けて筐体２０２の外部からアクセス可能とする。
【００５９】
制御部１０は、収納繰出ブロック４３０（図３参照）における束紙幣を出金ブロック４２０に繰り出す処理が停止されている間において、バラ収納部である金種別紙幣収納部１４２内に収納されている紙幣の枚数が出金するよう指示された束数に対応する枚数未満のときには、表示部２０やスピーカー２５等からなる報知部にその旨を報知させるとともに束紙幣葉類の出金を停止してもよいし、また、不足する枚数の紙幣を機内に装填するよう表示部２０やスピーカー２５等からなる報知部にその旨を報知させてもよい。
【００６０】
なお、帯封ブロック４１０に単独で故障等の不具合が発生した場合には、当該帯封ブロック４１０の駆動を停止させ、バラ紙幣処理装置１００と、束紙幣処理装置２００の出金ブロック４２０及び収納繰出ブロック４３０を駆動する縮退運転に自動で切り替わってもよい（図３参照）。ちなみに、帯封ブロック４１０の駆動が停止されている場合でも、ヒータ２１３の温度等を検知する検知部２１５は継続して駆動されていてもよい。
【００６１】
また、収納繰出ブロック４３０に単独で故障等の不具合が発生した場合には、当該収納繰出ブロック４３０の駆動を停止させ、バラ紙幣処理装置１００と、帯封ブロック４１０及び出金ブロック４２０を駆動する縮退運転に自動で切り替わってもよい（図３参照）。
【００６２】
なお、出金ブロック４２０に故障等の不具合が発生した場合には、束紙幣を外部からアクセス可能な状態としたり外部に束紙幣を投出したりすることができないことから、束紙幣処理装置２００全体の駆動を停止し、バラ紙幣処理装置１００のみを駆動する縮退運転に自動で切り替わってもよい。
【００６３】
次に、帯封ブロック４１０の駆動を停止させても行うことができる処理について、具体例を列挙する。
【００６４】
第一に、束紙幣出金処理を挙げることができる。この処理では、まず、束紙幣収納部２３０が束紙幣を束紙幣収納出金用搬送部２２０に繰り出し、当該束紙幣収納出金用搬送部２２０が前面側（図３の左側）に向かって当該束紙幣を搬送する。この際、束紙幣判別部２２２による束紙幣の金種等の判別が行われるとともに、束紙幣の束数が計数される。そして、束紙幣収納出金用搬送部２２０の前面側まで束紙幣が搬送されると、当該束紙幣はリフト部２２４によって上方に移動され、シャッター２１８ａ（図１参照）が開けられた開口２１８ｂを介して外部からアクセス可能となる。
【００６５】
第二に、束紙幣自動精査処理を挙げることができる。この処理では、ある束紙幣収納部２３０から全ての束紙幣を束紙幣収納出金用搬送部２２０に繰り出し、当該束紙幣収納出金用搬送部２２０が前面側（図３の左側）に向かって各束紙幣を搬送する。この際、束紙幣判別部２２２による各束紙幣の金種等の判別が行われるとともに、束紙幣の束数が計数される。このようにして束紙幣収納出金用搬送部２２０の前面側まで搬送された束紙幣はリフト部２２４の上方で積み重なって一時的に保留される。なおこの際、リフト部２２４は徐々に下方に移動し、束紙幣収納出金用搬送部２２０によって搬送された束紙幣は順次積み重なっていく。そして、対象となっている束紙幣収納部２３０から全ての束紙幣が繰り出されて束紙幣判別部２２２による金種等の判別が終了すると、リフト部２２４の上方で積み重なった束紙幣が束紙幣収納出金用搬送部２２０に順次戻され、束紙幣収納出金用搬送部２２０の後面側（図３の右側）に向かって搬送されて、元の束紙幣収納部２３０に戻される。なお、束紙幣収納出金用搬送部２２０が前面側（図３の左側）に向かって各束紙幣を搬送する際に束紙幣判別部２２２が各束紙幣の金種等の判別を行う代わりに又は当該判別に加えて、束紙幣収納出金用搬送部２２０が後面側（図３の右側）に向かって各束紙幣を搬送する際に束紙幣判別部２２２が各束紙幣の金種等の判別を行ってもよい。
【００６６】
第三に、束紙幣回収処理を挙げることができる。この処理では、ある束紙幣収納部２３０から回収対象となる束紙幣を束紙幣収納出金用搬送部２２０に繰り出し、当該束紙幣収納出金用搬送部２２０が前面側（図３の左側）に向かって各束紙幣を搬送する。この際、束紙幣判別部２２２による各束紙幣の金種等の判別が行われるとともに、束紙幣の束数が計数される。このようにして束紙幣収納出金用搬送部２２０の前面側まで搬送された束紙幣はリフト部２２４の上方で積み重なっていく。なおこの際、リフト部２２４は徐々に下方に移動し、束紙幣収納出金用搬送部２２０によって搬送された束紙幣は順次積み重なっていく。最終的には、リフト部２２４によって束紙幣が下方に移動されてシャッター２２５ａが開けられた回収用の開口２２５ｂからこれらの束紙幣が投出されることとなる。
【００６７】
第四に、束紙幣機外装填処理及びリジェクト束戻し処理を挙げることができる。この処理では、操作者が束紙幣出金部２１８の開口２１８ｂを介して束紙幣を筐体２０２内のリフト部２２４上に載置する。その後、リフト部２２４が下方に移動して束紙幣収納出金用搬送部２２０まで達し、リフト部２２４から束紙幣収納出金用搬送部２２０上に束紙幣が移動され、当該束紙幣が束紙幣収納出金用搬送部２２０で後面側（図３の右側）に向かって搬送されることとなる。この際、束紙幣判別部２２２による各束紙幣の金種等の判別が行われる。そして、束紙幣判別部２２２による判別結果に基づいて、収納されるべき束紙幣収納部２３０に当該束紙幣が収納されることとなる。なお、束紙幣機外装填処理では機内在高が増加するのに対して、リジェクト束戻し処理は本来収納されているべき束紙幣を機内に戻す処理であることから機内在高の増加がなく、この点で両者は異なっている。
【００６８】
第五に、束紙幣装填処理を挙げることができる。この処理では、一時的に束紙幣を収容している束紙幣収納部２３０（例えば最も前面側に位置する束紙幣収納部２３０）から全ての束紙幣を束紙幣収納出金用搬送部２２０に繰り出し、当該束紙幣収納出金用搬送部２２０が前面側（図３の左側）に向かって各束紙幣を搬送する。この際、束紙幣判別部２２２による各束紙幣の金種等の判別が行われるとともに、束紙幣の束数が計数される。このようにして束紙幣収納出金用搬送部２２０の前面側まで搬送された束紙幣はリフト部２２４の上方で積み重なって一時的に保留される。なおこの際、リフト部２２４は徐々に下方に移動し、束紙幣収納出金用搬送部２２０によって搬送された束紙幣は順次積み重なっていく。そして、一時的に束紙幣を収容している束紙幣収納部２３０から全ての束紙幣が繰り出されて束紙幣判別部２２２による金種等の判別が終了すると、リフト部２２４の上方で積み重なった束紙幣が束紙幣収納出金用搬送部２２０に順次戻され、束紙幣収納出金用搬送部２２０の後面側（図３の右側）に向かって搬送され、束紙幣判別部２２２による判別結果に基づいて、収納されるべき束紙幣収納部２３０に収納されることとなる。ちなみに、束紙幣収納出金用搬送部２２０が前面側（図３の左側）に向かって各束紙幣を搬送する際に束紙幣判別部２２２が各束紙幣の金種等の判別を行う代わりに又は当該判別に加えて、束紙幣収納出金用搬送部２２０が後面側（図３の右側）に向かって各束紙幣を搬送する際に束紙幣判別部２２２が各束紙幣の金種等の判別を行ってもよい。なお一例として、一時的に束紙幣を収容している束紙幣収納部２３０に予め一定の量の束紙幣を装填したうえで、当該束紙幣収納部２３０を筐体２０２に取り付けてやることもできる。
【００６９】
次に、収納繰出ブロック４３０の駆動を停止させても行うことができる処理について、具体例を列挙する。
【００７０】
既に述べた処理ではあるが、第一に、結束出金処理及び結束回収処理を挙げることができる。この処理では、対象となっている金種の紙幣を収納した金種別紙幣収納部１４２から所定枚数（例えば１００枚）の紙幣を繰り出して整理一時保留部１６０まで搬送する。そして、このように整理一時保留部１６０内に集積された所定枚数の紙幣をアーム部２１０で挟持して、当該整理一時保留部１６０から帯封部２１２に搬送する。その後で、帯封部２１２において束紙幣を生成し、このようにして生成された束紙幣を束紙幣搬送部２１６によって束紙幣出金部２１８に搬送し、筐体２０２の外部からアクセス可能とするか（結束出金処理）、リフト部２２４で下方まで搬送して回収用の開口２２５ｂから筐体２０２の外部に投出する（結束回収処理）。なお一括紙幣収納部１４０に損券等が収納されている場合には、損券結束出金処理又は損券結束回収処理を行うこともできる。この処理では、損券等を収納した一括紙幣収納部１４０から所定枚数（例えば１００枚）の紙幣を繰り出して整理一時保留部１６０まで搬送する。そして、このように整理一時保留部１６０内に集積された所定枚数の紙幣をアーム部２１０で挟持して、当該整理一時保留部１６０から帯封部２１２に搬送する。その後で、帯封部２１２において束紙幣を生成し、このようにして生成された束紙幣を束紙幣搬送部２１６によって束紙幣出金部２１８に搬送し、筐体２０２の外部からアクセス可能とするか（損券結束出金処理）、リフト部２２４で下方まで搬送して回収用の開口２２５ｂから筐体２０２の外部に投出する（損券結束回収処理）。
【００７１】
第二に、整理出金処理及び整理回収処理を挙げることができる。この処理では、操作者が紙幣投入部１１０から所定枚数（例えば１００枚）のバラ紙幣を投入すると、投入された所定枚数のバラ紙幣が整理一時保留部１６０まで搬送される。そして、このように整理一時保留部１６０内に集積された所定枚数の紙幣をアーム部２１０で挟持して、当該整理一時保留部１６０から帯封部２１２に搬送する。その後で、帯封部２１２において束紙幣を生成し、このようにして生成された束紙幣を束紙幣搬送部２１６によって束紙幣出金部２１８に搬送し、筐体２０２の外部からアクセス可能とするか（整理出金処理）、リフト部２２４で下方まで搬送して回収用の開口２２５ｂから筐体２０２の外部に投出する（整理回収処理）。
【００７２】
上述したように、帯封ブロック４１０に単独で故障等の不具合が発生した場合には、バラ紙幣処理装置１００と、束紙幣処理装置２００の出金ブロック４２０及び収納繰出ブロック４３０を駆動する縮退運転を行い、収納繰出ブロック４３０に単独で故障等の不具合が発生した場合には、当該収納繰出ブロック４３０の駆動を停止させ、バラ紙幣処理装置１００と、帯封ブロック４１０及び出金ブロック４２０を駆動する縮退運転を行い、出金ブロック４２０に故障等の不具合が発生した場合には、束紙幣処理装置２００全体の駆動が停止され、バラ紙幣処理装置１００のみを駆動する縮退運転を行うようにすることができるが、バラ紙幣処理装置１００を利用した動作の例としては以下のような、入金処理、出金処理、精査処理等を挙げることができる。
【００７３】
まず、紙幣処理装置５００のバラ紙幣処理装置１００において入金処理を行う際の動作について図２（ａ）を用いて説明する。紙幣処理装置５００が待機状態となっているときに、紙幣投入部１１０にバラ紙幣を投入するとともに、操作者が入金処理開始の指令を操作部３０から入力すると、紙幣投入部１１０に投入された紙幣は紙幣繰出部１１２により１枚ずつ筐体１０２内に繰り出され、入金搬送部１１４により搬送される。そして、入金搬送部１１４により搬送される紙幣は入金識別部１１６によりその金種、真偽、正損、新旧等が識別される。入金識別部１１６により識別された紙幣は表裏反転部１１８によりその表裏が整えられる。また、入金識別部１１６により正常な紙幣ではないと識別された紙幣や識別することができなかった紙幣はリジェクト紙幣として入金搬送部１１４から入金リジェクト部１２０に送られる。他方、入金識別部１１６により正常な紙幣であると識別された紙幣は、入金搬送部１１４により一括一時保留部１３０又は各金種別一時保留部１３２に送られ、これらの一時保留部で一時的に保留されるようになる。具体的には、入金識別部１１６により正常な紙幣であると識別された紙幣は、対応する金種の金種別一時保留部１３２に送られるが、この対応する金種の金種別紙幣収納部１４２がフル状態である場合には、当該紙幣は一括一時保留部１３０に送られるようになる。そして、紙幣投入部１１０に投入された紙幣が全て筐体１０２内に繰り出され、入金リジェクト部１２０、一括一時保留部１３０又は各金種別一時保留部１３２に送られると、操作者に対して入金確定の指令を促すメッセージが表示部２０に表示される。このとき、操作者が操作部３０から入金確定の指令を入力すると、一括一時保留部１３０や各金種別一時保留部１３２に一時的に保留されている紙幣が、対応する一括紙幣収納部１４０や各金種別紙幣収納部１４２に送られ、これらの紙幣収納部に収納されるようになる。このようにして、紙幣処理装置５００のバラ紙幣処理装置１００における入金処理に係る一連の動作が完了する。
【００７４】
次に、紙幣処理装置５００のバラ紙幣処理装置１００によりバラ紙幣の出金処理を行う際の動作について説明する。紙幣処理装置５００が待機状態となっているときに、操作者が出金処理開始の指令及び出金すべき紙幣の金種毎の枚数や合計金額等を操作部３０から入力すると、出金すべき金種の紙幣が各金種別紙幣収納部１４２から１枚ずつ紙幣繰出部１４４により下部搬送部１４６に繰り出される。そして、下部搬送部１４６により搬送される紙幣は出金識別部１４８によりその金種、新旧等が識別され、出金識別部１４８により識別された紙幣は出金搬送部１５０により１枚ずつ搬送される。出金識別部１４８により正常な紙幣ではないと識別された紙幣や識別することができなかった紙幣はリジェクト紙幣として出金搬送部１５０から出金リジェクト部１５４に送られる。他方、出金識別部１４８により正常な紙幣であると識別された紙幣は出金搬送部１５０によりバラ紙幣投出部１５２に送られ、このバラ紙幣投出部１５２に集積される。なお、バラ紙幣投出部１５２はシャッター１５２ａを開けることで外部からアクセス可能となっている。このようにして、紙幣処理装置５００のバラ紙幣処理装置１００における出金処理に係る一連の動作が完了する。
【００７５】
次に、紙幣処理装置５００のバラ紙幣処理装置１００により精査処理を行う際の動作について説明する。紙幣処理装置５００が待機状態となっているときに、操作者が精査処理開始の指令を操作部３０から入力したり、金融機関や店舗等の営業時間外の予め設定された時刻になったりすると、収納部１４０，１４２に収納された紙幣が、当該収納部１４０，１４２から１枚ずつ紙幣繰出部１４４により下部搬送部１４６に繰り出される。そして、下部搬送部１４６により搬送される紙幣は出金識別部１４８により識別及び計数が行われる。ここで、出金識別部１４８により正常な紙幣ではないと識別された紙幣や識別することができなかった紙幣はリジェクト紙幣として出金搬送部１５０から出金リジェクト部１５４に送られる。他方、出金識別部１４８により正常な紙幣であると識別された紙幣は出金搬送部１５０から表裏反転部１１８に送られる。そして、表裏反転部１１８に送られた紙幣は当該表裏反転部１１８によりその表裏が整えられた後（なお、紙幣が表裏反転部１１８を通過するだけで、紙幣の表裏を表裏反転部１１８が整えない態様を採用してもよい。）、繰り出された収納部１４０，１４２に対応する一時保留部１３０，１３２に送られて当該一時保留部１３０，１３２で一時的に保留される。一時保留部１３０，１３２が満杯になると、一旦収納部１４０，１４２からの紙幣の繰出しを停止して、一時保留部１３０，１３２の紙幣を対応する収納部１４０，１４２に戻す。この際、収納部１４０，１４２内では、仕切り板（図示せず）により、未だ収納部１４０，１４２に残っている紙幣と一時保留部１３０，１３２から送られてきた紙幣とが混ざることはないようになっている。一時保留部１３０，１３２内の紙幣が収納部１４０，１４２に送られて一時保留部１３０，１３２内が空になると、収納部１４０，１４２からの紙幣の繰出しを再開し、精査処理を開始した時点で収納部１４０，１４２内に集積されていた全ての紙幣が収納部１４０，１４２から繰り出されるまでこの動作を繰り返す。
【００７６】
《効果》
次に、上述した構成からなる本実施の形態によって達成される効果であって、まだ述べていない効果又はとりわけ重要な効果について説明する。
【００７７】
本実施の形態によれば、制御部１０が、所定条件において、いずれかの処理ブロックにおける束紙幣に関する処理を停止させるが、残りの処理ブロックでは束紙幣に関する処理を行うよう紙幣処理装置５００を制御する。このため、束紙幣の処理に関して縮退運転を行うことができる。
【００７８】
より具体的には、本実施の形態では、制御部１０が、所定条件において、帯封ブロック４１０、出金ブロック４２０及び収納繰出ブロック４３０のいずれか一つ以上の処理ブロックにおける束紙幣に関する処理を停止させるが、残りの処理ブロックでは束紙幣に関する処理を行うよう紙幣処理装置５００を制御する。このため、帯封ブロック４１０、出金ブロック４２０及び収納繰出ブロック４３０のいずれか一つで束紙幣に関する処理が停止されても、残りの処理ブロックでは束紙幣に関する処理を継続して行うことができ、束紙幣の処理に関して縮退運転を行うことができる。つまり、本実施の形態によれば、仮に帯封ブロック４１０、出金ブロック４２０及び収納繰出ブロック４３０のいずれかで処理ができない状態となっても、残りの処理ブロックで束紙幣に関する処理を継続して行うことができることから、紙幣処理装置５００を有効に活用できる。
【００７９】
さらに具体的には、本実施の形態では、帯封ブロック４１０に単独で故障等の不具合が発生した場合に、当該帯封ブロック４１０の駆動を停止させ、バラ紙幣処理装置１００と、束紙幣処理装置２００の出金ブロック４２０及び収納繰出ブロック４３０を駆動する縮退運転に自動で切り替わる態様を採用することができる。このような態様を採用した場合には、帯封ブロック４１０に単独で故障等の不具合が発生した場合に自動的に帯封ブロック４１０を利用しない縮退運転を実現することができる。
【００８０】
また、本実施の形態では、収納繰出ブロック４３０に単独で故障等の不具合が発生した場合に、当該収納繰出ブロック４３０の駆動を停止させ、バラ紙幣処理装置１００と、帯封ブロック４１０及び出金ブロック４２０を駆動する縮退運転に自動で切り替わる態様を採用することもできる。このような態様を採用した場合には、収納繰出ブロック４３０に単独で故障等の不具合が発生した場合に自動的に収納繰出ブロック４３０を利用しない縮退運転を実現することができる。
【００８１】
また、本実施の形態では、出金ブロック４２０に故障等の不具合が発生した場合に、束紙幣処理装置２００全体の駆動を停止し、バラ紙幣処理装置１００のみを駆動する縮退運転に自動で切り替わる態様を採用することができる。このような態様を採用した場合には、出金ブロック４２０に故障等の不具合が発生した場合に自動的に束紙幣処理装置２００を利用しない縮退運転を実現することができる。
【００８２】
ここで、上記のように、帯封ブロック４１０、収納繰出ブロック４３０、出金ブロック４２０のいずれかに不具合が発生した場合に、不具合が発生した処理ブロックの駆動を停止させ、不具合の発生していない処理ブロックを駆動する縮退運転に自動で切り替わるようになっていてもよいし、縮退運転をするか否かを操作者が選択できるようにしてもよい。
【００８３】
なお、本実施の形態では、バラ紙幣処理装置１００に含まれる整理一時保留部１６０が帯封ブロック４１０に含まれており（図４参照）、整理一時保留部１６０に故障等の不具合が発生した場合に、帯封ブロック４１０内で束紙幣を生成する処理を停止させ、より具体的にはアーム部２１０、帯封部２１２、テープセット部２１４及び束紙幣搬送部２１６のいずれか１つ以上の駆動を停止させるようになっている。このため、整理一時保留部１６０に不具合が発生した場合であっても、帯封ブロック４１０の駆動を停止させ、バラ紙幣処理装置１００と、束紙幣処理装置２００の出金ブロック４２０及び収納繰出ブロック４３０を駆動する縮退運転を行うことができる。なお、本実施の形態では、整理一時保留部１６０がバラ紙幣処理装置１００に含まれる態様を用いて説明しているが、これはあくまでも一例であり、整理一時保留部は束紙幣処理装置２００に含まれていてもよい。
【００８４】
ちなみに、本実施の形態における態様では、帯封ブロック４１０（図３参照）の駆動が停止された状態であっても、上述した、束紙幣出金処理、束紙幣自動精査処理、束紙幣回収処理、束紙幣機外装填処理、リジェクト束戻し処理、束紙幣装填処理等の処理を行うことができる。また、収納繰出ブロック４３０の駆動が停止された状態であっても、上述した、結束出金処理、結束回収処理、損券結束出金処理、損券結束回収処理、整理出金処理、整理回収処理等の処理を行うことができる。
【００８５】
また、本実施の形態では、帯封ブロック４１０で束紙幣を生成する処理が停止されている間に、バラ収納部である金種別紙幣収納部１４２に集積された紙幣の枚数がニアフル状態又はフル状態となって一定枚数以上となったときに、表示部２０やスピーカー２５等からなる報知部が、帯封ブロック４１０の停止要因の解除を開始するよう報知する態様を採用することができる。このような態様を採用した場合には、操作者は金種別紙幣収納部１４２にこれ以上バラ紙幣を集積できなくなる状態が近づいており、帯封ブロック４１０の停止要因を解除しなければならないことを容易に把握することができる。
【００８６】
また、本実施の形態では、帯封ブロック４１０で束紙幣を生成する処理が停止されている間に、バラ収納部である金種別紙幣収納部１４２に集積された紙幣の枚数がニアフル状態又はフル状態となって一定枚数以上となったときに、金種別紙幣収納部１４２に紙幣を集積させる処理を停止させる態様を採用することもできる。このような態様を採用した場合には、対象となっている金種別紙幣収納部１４２へ紙幣を集積できない状態となってしまうことを未然に防止することができる。  
【００８７】
また、本実施の形態では、帯封ブロック４１０で束紙幣を生成する処理が停止されている間に、バラ収納部である金種別紙幣収納部１４２に集積された紙幣の枚数がニアフル状態又はフル状態となって一定枚数以上となったときに、当該金種別紙幣収納部１４２内の紙幣を回収するよう、表示部２０やスピーカー２５等からなる報知部が報知するようにしてもよい。この場合には、操作者は、帯封ブロック４１０で束紙幣を生成する処理が停止されている間に他の処理ブロックでの縮退運転を引き続き行なうには、金種別紙幣収納部１４２内の紙幣を回収しなければならないことを容易に把握することができる。
【００８８】
また、本実施の形態では、帯封ブロック４１０で束紙幣を生成する処理が停止されている間に、バラ収納部である金種別紙幣収納部１４２に集積された紙幣の枚数がニアフル状態又はフル状態となって一定枚数以上となったときに、金種別紙幣収納部１４２内の紙幣を自動的に回収させるようにしてもよい。このように金種別紙幣収納部１４２から紙幣を回収して金種別紙幣収納部１４２内の紙幣を空にすることにより又は少なくすることにより、帯封ブロック４１０で束紙幣を生成する処理が停止されている間に、他の処理ブロックでの縮退運転を引き続き行なうことが可能になる。なお、回収処理は、金種別紙幣収納部１４２から下部搬送部１４６に紙幣を繰出し、出金識別部１４８及び出金搬送部１５０を通過した紙幣を、バラ紙幣出金部１５２へ送って行う。
【００８９】
また、本実施の形態の検知部は、監視対象部材を有する処理ブロックにおける束紙幣に関する処理が停止されている間であっても当該監視対象部材の状況を常時検知する。そして、検知部が監視対象部材の状況を検知することができなくなったときに、制御部１０は紙幣処理装置５００における束紙幣に関する処理を停止させる。このため、危険な要素になりうる監視対象部材が何ら監視されない状況で、縮退運転が行われることを防止することができる。なお、監視対象部材を有する処理ブロックにおける束紙幣に関する処理が停止されている間、スイッチを遮断状態にする等、監視対象部材への電力供給を物理的に停止する態様を採用する場合には、当該監視対象部材に由来する危険要素を物理的に取り除くことができる。なお、このように監視対象部材への電力供給を物理的に停止する場合には、検知部が監視対象部材の状況を常時検知する必要は必ずしもない。
【００９０】
この態様について、監視対象部材が帯封ブロック４１０の帯封部２１２に含まれるヒータ２１３である場合を例にとって説明する。本実施の形態の検知部２１５は、ヒータ２１３を有する帯封ブロック４１０における束紙幣に関する処理が停止されている間であっても当該ヒータ２１３の状況を常時検知する。そして、検知部２１５がヒータ２１３の状況を検知することができなくなったときに、又は、ヒータ２１３が設定温度以上になったときに、制御部１０は紙幣処理装置５００における束紙幣に関する処理を停止させる又は紙幣処理装置５００自体を停止させる。このため、危険な要素になりうるヒータ２１３が何ら監視されない状況で、又は、ヒータ２１３が設定温度以上になった状態で、縮退運転が行われることを防止することができる。なお、ヒータ２１３を有する帯封ブロック４１０における束紙幣に関する処理が停止されている間、スイッチを遮断状態にする等、ヒータ２１３への電力供給を物理的に停止する態様を採用する場合には、当該ヒータ２１３に由来する危険要素を物理的に取り除くことができる。なお、このようにヒータ２１３への電力供給を物理的に停止する場合には、検知部２１５がヒータ２１３の状況を常時検知する必要は必ずしもない。
【００９１】
また、本実施の形態の制御部１０は、帯封ブロック４１０（図３参照）で束紙幣を生成する処理が停止されている間、出金するよう指示された束数未満の束紙幣しか収納繰出ブロック４３０の束紙幣収納部２３０が収納していないときに、不足する束数に対応する枚数の紙幣をバラ状態で、金種別紙幣収納部１４２から繰り出してバラ紙幣出金部１５２から出金するよう紙幣処理装置５００を制御する。このため、仮に帯封ブロック４１０で束紙幣を生成することができない場合であっても、操作者は自己が必要とする量の紙幣を紙幣処理装置５００から提供を受けることができる。
【００９２】
また、本実施の形態の制御部１０は、収納繰出ブロック４３０における束紙幣を出金ブロック４２０に繰り出す処理が停止されている間、束紙幣を出金するよう指示された場合に、金種別紙幣収納部１４２から繰り出された所定枚数（例えば１００枚）の紙幣を帯封ブロック４１０で結束して束紙幣を生成し、出金ブロック４２０から当該束紙幣を出金するよう紙幣処理装置５００を制御する。このため、仮に収納繰出ブロック４３０における束紙幣を出金ブロック４２０に繰り出すことができない場合であっても、操作者は自己が必要とする束数の束紙幣を紙幣処理装置５００から提供を受けることができる。
【００９３】
この際、金種別紙幣収納部１４２内に収納されているバラ紙幣の枚数が出金要求された束数に相当する枚数未満のときには、表示部２０やスピーカー２５等からなる報知部にその旨を報知させるとともに束紙幣の出金を停止してもよい。この場合には、操作者は、束紙幣の出金が停止されてもその理由を容易に把握することができる。また、このように金種別紙幣収納部１４２内に収納されているバラ紙幣の枚数が出金要求された束数に相当する枚数未満のときには、不足する枚数の紙幣を機内に装填するよう表示部２０やスピーカー２５等からなる報知部にその旨を報知させるようにしてもよい。この場合には、操作者は、束紙幣を出金させるには何を行えばよいかを容易に把握することができる。なお、不足する紙幣の装填は、紙幣投入部１１０から紙幣を投入することで行うか、又は、金種別紙幣収納部１４２を筐体１０２から引き出して直接補充することで行えばよい。
【００９４】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００９５】
１０          制御部
２０          表示部（報知部）
２５          スピーカー（報知部）
３０          操作部
１００        バラ紙幣処理装置
１４２        金種別紙幣収納部（バラ収納部）
１５２        バラ紙幣出金部（バラ出金部）
１６０        整理一時保留部（一時保留部）
２００        束紙幣処理装置
２１３        ヒータ
２１５        検知部
４１０        帯封ブロック
４２０        出金ブロック
４３０        収納繰出ブロック
５００        紙幣処理装置（紙葉類処理装置）
【図１】
2015184782.tif 000003
【図２】
2015184782.tif 000004
【図３】
2015184782.tif 000005
【図４】
2015184782.tif 000006